(57)【特許請求の範囲】
【請求項１】
前端にロープ案内部が形成され水平に延びるアームの中間部に安定板取付穴を水平方向に複数形成するとともに、この安定板取付穴の前後に水平方向に複数のサポート取付穴を形成し、このアームの複数の安定板取付穴を介して構造物に当ててアームの構造物からの突出量を可変にする安定板を取付ける一方、この安定板の取付位置に応じて前方の複数のサポート取付穴を介してアーム下方に垂下されて構造物壁面に当られ挾圧部材の一方となり得るサポートを設け、前記後方の複数のサポート取付穴に取付けられ当該サポートと構造物を挾んで挾圧固定し得るスライドサポートを備えてなり、前記安定板取付穴のピッチと前記サポート取付穴のピッチを変え安定板取付穴以外に安定板を取付不能とし、前記アームの構造物からの突出量を規制することを特徴とする壁面作業用ロープの支持装置。
【請求項２】
前記アームの前方の複数のサポート取付穴を介してアーム下方に垂下される前記サポートに替え、当該アームの後方の複数のサポート取付穴を介してアーム上方に立設されて上端でロープを案内し得るサポートを設けたことを特徴とする請求項１記載の壁面作業用ロープの支持装置。
【請求項３】
前記サポートの構造物壁面に当たる部分に着脱可能な当て物を設けたことを特徴とする請求項１または２記載の壁面作業用ロープの支持装置。
【発明の詳細な説明】
【０００１】
【発明が属する技術分野】
この発明は建築構造物などの外壁面に対して作業を行うための作業用ケージや作業用ゴンドラなどを吊り下げるロープを支持するための壁面作業用ロープの支持装置に関し、固定部分の形状や突出量の異なる場合にも簡単に対応できるようにしたものである。
【０００２】
【従来の技術】
建築構造物などの構造物の外壁面に対して補修作業などを行う方法の一つに構造物の上部にロープ（ワイヤロープ）を固定しておき、このロープにワインダを備えた作業用ゴンドラなどを吊り下げ、ワインダを駆動することで作業用ゴンドラなどを外壁面に沿って昇降することが行われている。
【０００３】
このような作業用ゴンドラなどを吊り下げる吊りワイヤロープなどのロープを構造物の屋上のパラペットから突き出して固定し、作業用ゴンドラなどが外壁面にぶつからずに作業できるようにする必要があり、従来から種々のロープ支持装置が用いられ、例えば図６（ａ）（ｂ）に示すように、構造物１の屋上のパラペット２の厚さに応じて２種類の異なる構造のロープ支持装置（通常、一方を突梁、他方を自在フックと称している）が用いられて外壁面３に対する作業が行われている。
【０００４】
まず、パラペット２が厚い場合のロープ支持装置（通常、突梁と称している）４は、同図（ａ）に示すように、パラペット２上に載せられるとともに、外壁面３の上端部に当られるＬ字状の安定板５を備え、この安定板５上に外壁面３より外側に突き出して水平なアーム６が溶接などで固定されるとともに、アーム６の後端部に支柱７が溶接されて構成されている。
【０００５】
そして、使用に当っては、ロープ支持装置４の安定板５をパラペット２の上端角部に当てるように配置した後、支柱７の根元部分に控えロープ８を巻き掛けてパラペット２に固定する一方、作業用ゴンドラ９を吊り下げる吊りワイヤロープ１０をアーム６の先端部および支柱７の上端部を経由して構造物に巻き掛けた台付けロープ１１に連結して固定する。
【０００６】
また、パラペット２が比較的薄くパラペット２を内外から挾んで固定できる場合のロープ支持装置（通常、自在フックと称している）１２は、同図（ｂ）に示すように、パラペット２上に載せられて外壁面３より外側に突き出す水平なアーム１３を備えており、このアーム１３の外壁面３より外側下部に補強斜材を備えた前部支持部材１４を溶接して下端内側に取付けた当て物１５を外壁面３に当てる一方、この前部支持部材１４とパラペット２を挾んで対向させて後部支持部材１６をアーム１３に摺動可能に取付けて構成されている。
【０００７】
そして、使用に当たっては、ロープ支持装置１２のアーム１３の前部支持部材１４と後部支持部材１６の間にパラペット２が位置するとともに、当て物１５が外壁面３に当たるようにアーム１３を配置し、作業用ゴンドラ９を吊り下げる吊りワイヤロープ１０をアーム１３の先端部を経由して後部支持部材１６の上部に連結し、吊りワイヤロープ１０を介して後部支持部材１６に作用する力で前部支持部材１４と協働してパラペット２を挾むようにする一方、後部支持部材１６に控えワイヤロープ１７を連結するとともに、アーム１３に控えロープ８を連結している。
【０００８】
このような２種類のロープ支持装置４，１２を用いることで、構造物１のパラペット２の厚さなどが異なる場合であっても作業用ゴンドラ９を吊り下げる吊りワイヤロープ１０を外壁面３から突き出して取付けることができる。
【０００９】
【発明が解決しようとする課題】
ところが、外壁面３とパラペット２との位置関係が構造物によって異なる場合があり、ロープ支持装置４，１２のアーム６，１３の突出量を変える場合には、予め安定板５に対するアーム６の突出を変えたロープ支持装置４を用意したり、アーム１３に対する前部支持部材１４の取付位置を変えたロープ支持装置１２を用意しなければならず、多種類のロープ支持装置４，１２を製作してストックしておかなければならないという問題がある。
【００１０】
そこで、例えばアームに対する安定板や前部支持部材の取付位置を変えることができるように、予め多くのボルト孔をアームにあけておくことも考えられるが、現場での取付作業の際に本来のボルト孔以外の他のボルト孔を使って安定板や前部支持部材を取付け、設計時の許容限界を越えてアームを前方に突き出すような誤った取付けを行う恐れがある。
【００１１】
また、アームの中間部に吊りワイヤロープの支持部を取付けておき、突出量を小さくする場合に、アーム先端部を経由させずに中間部の支持部を経由させるようにしたロープ支持装置もあるが、この場合には、中間支持部より先に突き出したアーム部分は不要であり、アームを固定する上でも不必要に突き出した状態にすることは安定性の点でも問題がある。
【００１２】
この発明はかかる従来技術が有する課題を解決するためになされたものであり、構造物の取付部の形状によらず固定でき、外壁面に対する突出量を簡単に変えることができるとともに、構造上許容限界を越えて突き出して使用することができない壁面作業用ロープの支持装置を提供しようとするものである。
【００１３】
【課題を解決するための手段】
上記課題を解決するため、この発明の請求項１記載の壁面作業用ロープの支持装置は、前端にロープ案内部が形成され水平に延びるアームの中間部に安定板取付穴を水平方向に複数形成するとともに、この安定板取付穴の前後に水平方向に複数のサポート取付穴を形成し、このアームの複数の安定板取付穴を介して構造物に当ててアームの構造物からの突出量を可変にする安定板を取付ける一方、この安定板の取付位置に応じて前方の複数のサポート取付穴を介してアーム下方に垂下されて構造物壁面に当られ挾圧部材の一方となり得るサポートを設け、前記後方の複数のサポート取付穴に取付けられ当該サポートと構造物を挾んで挾圧固定し得るスライドサポートを備えてなり、前記安定板取付穴のピッチと前記サポート取付穴のピッチを変え安定板取付穴以外に安定板を取付不能とし、前記アームの構造物からの突出量を規制することを特徴とするものである。
【００１４】
この壁面作業用ロープの支持装置によれば、構造物に当てる安定板の複数の取付穴を介してアームに形成した複数の安定板取付穴への取付位置を変えて取付けることで、アーム突出量を変えることができるようになり、アームの前方下部にサポートを取付けるとともに、後方下部にスライドサポートを取付けることで、自在フックとして使用できるようにし、しかも安定板取付穴のピッチとサポート取付穴のピッチを変えることで、安定板取付穴以外には安定板を取付けることができず、設計時の許容限界を越えてアームの突出量を大きくすることができないように規制している。
【００１５】
これにより、１つの壁面作業用ロープの支持装置で構造物の形状によらずサポートの取付位置の変更などで固定できるようになり、アームの突出量も設計時の許容限界範囲内で簡単に変えることができるようになる。
【００１６】
また、この発明の請求項２記載の壁面作業用ロープの支持装置は、請求項１記載の構成に加え、前記アームの前方の複数のサポート取付穴を介してアーム下方に垂下される前記サポートに替え、当該アームの後方の複数のサポート取付穴を介してアーム上方に立設されて上端でロープを案内し得るサポートを設けたことを特徴とするものである。
【００１７】
この壁面作業用ロープの支持装置によれば、前記アームの前方の複数のサポート取付穴を介してアーム下方に垂下される前記サポートに替え、当該アームの後方の複数のサポート取付穴を介してアーム上方に立設されて上端でロープを案内し得るサポートを設けるようにしており、アームの後方上部にサポートを取付けた突梁として使用できるようになる。
【００１８】
さらに、この発明の請求項３記載の壁面作業用ロープの支持装置は、請求項１または２記載の構成に加え、前記サポートの構造物壁面に当たる部分に着脱可能な当て物を設けたことを特徴とするものである。
【００１９】
この壁面作業用ロープの支持装置によれば、さらにサポートの構造物壁面に当たる部分に着脱可能な当て物を設けるようにしており、壁面の強度に応じて接触面積を調整してできるだけ小さくすることで、塗装などができなくなる部分を最少限にできるようにしている。
【００２０】
【発明の実施の形態】
以下、この発明の実施の形態を図面に基づき詳細に説明する。
図１〜図５はこの発明の壁面作業用ロープの支持装置の一実施の形態にかかり、図１（ａ）は自在フックとする場合の外観斜視図、図１（ｂ）は突梁とする場合の外観斜視図、図２は自在フックとし突出量を最大とした場合の平面図および側面図、図３は自在フックとし突出量を最小とした場合の平面図および側面図、図４は突梁とし突出量を最大とした場合の平面図および側面図、図５は突梁とし突出量を最小とした場合の平面図および側面図である。
【００２１】
この壁面作業用ロープの支持装置２０は、構造物１の外壁面３の上部であるパラペット２から突き出して水平に配置されるアーム２１を備えており、中空矩形断面の柱状とされ、その長さが自在フックとして最大突出量としたときにパラペット２を内外から挾んで固定するのに必要な十分な長さとしてある。
【００２２】
このアーム２１の前端には、作業用ゴンドラ９を吊り下げるための吊りワイヤロープ１０などを案内するロープ案内部２２が設けられ、側板２２ａがアーム２１の左右両側に溶接されるとともに、この間に半円筒状の案内板２２ｂが溶接されて構成されている。また、アーム２１の後端面には、丸棒を半円状にした取付リング２３が溶接され、控えロープ８を連結して万一の落下などを防止するようになっている。
【００２３】
このアーム２１の側面には、中間部に安定板取付穴２４が複数個一定ピッチｔ1 で形成され、各安定板取付穴２４を補強するためパイプ２４ａが挿通されてアーム２１の両側面に溶接してあり、ここでは、６個の安定板取付穴２４をピッチｔ1 ＝５０mmで形成してある。
【００２４】
さらに、このアーム２１の側面の安定板取付穴２４の前方および後方には、サポート取付穴２５が複数個安定板取付穴２４のピッチｔ1 とは異なる一定ピッチｔ2 で形成され、安定板取付穴２４と同様に補強用のパイプ２５ａが挿通されてアーム２１の両側面に溶接してあり、ここでは、前後端の安定板取付穴２４からピッチｔ2 ＝１００mmで前方に３個、後方に６個のサポート取付穴２５が形成してある。
【００２５】
このようなアーム２１の安定板取付穴２４に取付けられる安定板３０は、パラペット２などの上端角部を覆うように当てる水平部３１ａと垂直部３１ｂとが直角に曲げられた安定板部材３１を備え、アーム２１の幅に比べて広幅に形成されるとともに、軽量化のため水平部３１ａに２つの抜き穴が形成してある。
【００２６】
そして、この安定板部材３１の幅方向中央部には、水平部３１ａと垂直部３１ｂに沿う直角部が形成された略Ｌ字状のアーム挿通部側板３２がアーム２１の幅より僅かに広い間隔で配置されて安定板部材３１と溶接されるとともに、上部にアーム挿通部上板３３が配置されて互いが溶接され、安定板部材３１上にアーム２１を挿通することができる中空矩形のアーム挿通部３４が形成される。
【００２７】
さらに、この安定板３０のアーム挿通部側板３２にアーム２１の安定板取付穴２４のピッチｔ1 に対応した複数の安定板固定穴３５が形成してあり、ここでは、２個の安定板固定穴３５がピッチｔ1 ＝５０mmで形成してある。
【００２８】
また、安定板部材３１の内側には、ゴム板３６が取付けられ、パラペット２などを保護するようになっている。
【００２９】
したがって、この安定板３０のアーム挿通部３４にアーム２１を挿通し、アーム２１の６個の安定板取付穴２４を用いて安定板３０の２つの安定板固定穴３５と合致するところで固定することで、５０mmごとの５か所に移動することができ、アーム２１の突出量を最大２５０mm変えることができる。
【００３０】
また、この安定板３０は２つの安定板固定穴３５のピッチｔ1 が５０mmにしてあることから、アーム２１にピッチｔ2 を１００mmとして形成したサポート取付穴２５には取付けることができないことになる。
【００３１】
次に、このような安定板３０を取付けたアーム２１のサポート取付穴２５には、サポート４０が取付けられるが、パラペット２を挾んで固定する自在フックとする場合には、安定板３０より前方に、アーム２１より下側に突き出して取付けられ、パラペット２には固定せずに載置するだけとし、他の部分に固定する突梁とする場合には、安定板３０より後方に、アーム２１より上側に突き出して同一構造のサポート４０が取付けられる。
【００３２】
ここでは、自在フックとする場合の図１（ａ）の場合を例にサポート４０の構造を説明すると、サポート４０はアーム２１を挿通させることができる中空矩形断面のアーム挿通部４１を備え、このアーム挿通部４１の下面に垂直に支柱４２が溶接され、支柱４２の下端部にロープ案内部４３が設けてあり、２つの側板４３ａが支柱４２の両側に溶接されるとともに、これらの間に半円筒状の案内板４３ｂが溶接されてロープ案内部４３が構成される。
【００３３】
また、このサポート４０はアーム挿通部４１の前方に位置するアーム取付部４４を備えており、アーム２１の両側に位置する側板４４ａと下端を連結する連結板４４ｂとで断面コ字状に溶接されて構成され、アーム挿通部４１の下面とアーム取付部４４の下面とに当てた連結柱４５を介して連結されるとともに、アーム取付部４４と支柱４２の上端部との間に斜めに補強柱４６が配置されて直角三角形状に支柱４２、連結柱４５、補強柱４６が連結されている。
【００３４】
さらに、支柱４２の下端部には、当て物取付部４７が設けられ、アングル材で構成され、垂直部４７ａがアーム２１の後方を向いて外壁面３とほぼ平行になるように配置され、その下端に水平部４７ｂがアーム２１の前方側となるように配置されてロープ案内部４３の側板４３ａおよび支柱４２と溶接されている。
【００３５】
このようなサポート４０のアーム挿通部４１およびアーム取付部４４の側面にそれぞれサポート固定穴４８が形成され、アーム２１のサポート取付穴２５のピッチｔ2 に対応して２つのサポート固定穴４８のピッチｔ3 が定められ、ここでは、サポート取付穴２５のピッチｔ2 の２倍のｔ3 ＝２・ｔ2 ＝２００mmのピッチとしてある。
【００３６】
したがって、アポート４０はアーム２１のサポート取付穴２５を１つおきに２つ用いることでアーム２１に固定することができ、合致するサポート取付穴２５の範囲で取付位置の変更ができる。
【００３７】
また、当て物取付部４７には、外壁面３に当てる当て物５０が取付けられ、外壁面３に当て物５０の先端面を当てることでパラペット２の上端角部の損傷を防止するが、当て物５０を当てた外壁部分に対しては補修や塗装等を行うことができなくなることから、外壁面３の強度に応じて必要な最小面積の当て物５０を種々用意し、取り替えて使用する。
【００３８】
このような当て物５０としては、例えば当て物取付部５０の垂直部４７ａと同一の大きさの取付板５１に先端が塞がれた中空矩形の柱状の当接部材５２を溶接し、その先端面にゴム板５３を取付けて構成したものが、鉄筋コンクリート面に対する当て物として用いられる。
【００３９】
さらに、外壁面の強度が小さい場合用としては、例えば２つの当接部材５２の先端面を１つの板で連結したものや当接部材５２の直径を大きくしたものなどを用いれば良く、種々の形状のものが使用でき、逆に外壁面の強度が大きい場合には、接触面積の小さい種々の形状のものを当て物として使用することができる。
【００４０】
このようなサポート４０は、図１（ｂ）に示すように、パラペット２に固定せずに載置するだけとし、他の部分に固定する突梁とする場合には、安定板３０より後方に、アーム２１より上側に突き出して取付けて用いられる。
【００４１】
次に、パラペット２自体に固定する自在フックとする場合には、図１（ａ）に示すように、アーム２１の安定板３０の後方のサポート取付孔２５にスライドサポート６０が取付けられ、前方のサポート４０と協働してパラペット２を挾んで固定する。
【００４２】
このスライドサポート６０は、アーム２１を挿通させることができる中空矩形断面のアーム挿通部６１を備え、このアーム挿通部６１の両側に上方に突き出す側板６２が一体に形成されて吊りワイヤロープ１０を取付けるロープ取付穴６３が形成されている。
【００４３】
また、アーム挿通部６１の両側下方には、サポート板６４が溶接などで一体に設けられ、これらサポート板６４の間にねじジャッキ６５が取付けられ、先端部に遊転する円盤状の当て板６６が取付けてあり、ハンドル６７を回転することで、当て板６６を前後に動かして締め付けたり、緩めたりすることができるようにしてある。
【００４４】
このようなスライドサポート６０のアーム挿通部６１の両側に固定穴６８がアーム２１のサポート取付穴２５のピッチｔ2 に対応するピッチｔ4 で形成され、ここでは、同一ピッチの１００mmで形成してある。
【００４５】
以上のように構成した壁面作業用ロープの支持装置２０は、次のようにして使用されるが、図１（ａ）（ｂ）に示すように、自在フックとする場合も突梁とする場合のいずれもアーム２１の中間部に安定板３０を取付けて使用する。
【００４６】
まず、パラペット２が薄く壁面作業用ロープ支持装置２０で挾んで固定する自在フックとして用いる場合には、図１（ａ）、図２および図３に示すように、アーム２１の突出量に応じてアーム２１の安定板取付穴２４への安定板３０の取付位置を変え、図２のように突出量を最大にする場合には、アーム２１に形成した６個の安定板取付穴２４のうち最も後方の２つに安定板３０の安定板固定穴３５を合わせ、図示しないボルトをパイプ２４ａに通してナットで締め付ける一方、図３のように突出量を最小にする場合には、アーム２１に形成した６個の安定板取付穴２４のうち最も前方の２つに安定板固定穴３５を合わせて締め付ける。
【００４７】
また、アーム２１の安定板３０の前方には、サポート４０をアーム２１の下方に突き出すようにし、アーム挿通部４１が安定板３０の直前に来るようにして締め付け、図２のように突出量を最大にする場合には、アーム２１の前方に形成した３個のサポート取付穴２５のうち最も後方のサポート取付穴２５にアーム取付部４４のサポート固定穴４８を合わせてサポート４０の前側を図示しないボルトをパイプ２５ａに通してナットで締め付け固定するとともに、アーム挿通部４１のサポート固定穴４８を安定板取付穴２４の１つを利用して図示しないボルトをパイプ２４ａに通してナットで締め付ける一方、図３のように突出量を最小にする場合には、アーム２１の前方に形成した３個のサポート取付穴２５のうち前後端の２つにアーム取付部４４およびアーム挿通部４１のサポート固定穴４８を合わせて締め付ける。
【００４８】
そして、このサポート４０の当て物取付部４７には、外壁面の強度に応じた最小面積の当て物５０を取付けて後方に突き出すようにし、当て物５０の突出量が安定板２１の安定板部材３１の水平部３１ａと垂直部３１ｂの角部がパラペット２の角部に当たらない長さとされ、パラペット２の損傷を防止する。
【００４９】
さらに、アーム２１の安定板３０の後方には、パラペット２を挾んでサポート４０と対向して締め付けるスライドサポート６０が取付けられるが、その取付位置はパラペット２の厚さとスライドサポート６０に取付けたねじジャッキ６５のストロークに応じてアーム２１の後方のサポート取付穴２５のうちの２つに合せて図示しないボルトをパイプ２５ａに通してナットで締め付けて固定する。
【００５０】
こうして組立が完了した自在フック型の壁面作業用ロープの支持装置２０は、パラペット２の前後をサポート４０とスライドサポート６０で挾むようにしてパラペット２の上面に安定板３０を載せるとともに、外壁面３に当て物５０が当たるようにした後、ねじジャッキ６５で締め付けて固定する。
【００５１】
この後、従来の自在フックと同様にして控えロープ８や吊りワイヤロープ１０を取付けることで作業用ゴンドラ９などを吊り下げるロープの支持ができる。
【００５２】
このような壁面作業用ロープの支持装置２０を自在フックとして用いる場合でも、アーム２１の突出量が安定板３０の取付位置によって調整でき、しかも安定板３０の安定板固定穴３５およびアーム２１の安定板取付穴２４のピッチが５０mmと他のサポート取付穴２５のピッチより小さくしてあるので、アーム２１の安定板取付穴２４以外に取付けることができず、設計許容限界を越えて突き出して使用することを防止できる。
【００５３】
また、当て物取付部４７に取付ける当て物５０を取り替えることで、外壁面３を損傷しない最小面積の当て物５０を取付け壁面作業を行うことができ、塗装などの作業ができない部分を最小にすることができる。
【００５４】
次に、パラペット２が厚く壁面作業用ロープ支持装置２０を載せるだけの突梁として用いる場合には、図１（ｂ）、図４および図５に示すように、アーム２１の突出量に応じてアーム２１の安定板取付穴２４への安定板３０の取付位置を変え、突出量を最大にする場合には、図４に示すように、突出量を最小にする場合には、図５に示すように、それぞれ自在フックの場合の図２，図３と同様にして安定板３０をアーム２１に固定する。
【００５５】
また、アーム２１の安定板３０の後方には、サポート４０をアーム２１の上方に突き出すようにし、アーム取付部４４が安定板３０の直後となり、アーム挿通部４１が後方となるようにして締め付け、図４のように突出量を最大にする場合には、アーム２１の後方に形成した６個のサポート取付穴２５のうち最も前方と３つ目のサポート取付穴２５にアーム取付部４４およびアーム挿通部４１のサポート固定穴４８を合わせて締め付ける一方、図５のように突出量を最小にする場合には、アーム２１の後方に形成した６個のサポート取付穴２５のうち最も前方のサポート取付穴２５にアーム挿通部４１のサポート固定穴４８を合わせ、安定板取付穴２４の１つを利用してアーム取付部４４のサポート固定穴４８を合わせて締め付けることで固定する。
【００５６】
このようにして突梁型の壁面作業用ロープの支持装置２０の組立が完了するが、サポート４０の上端部の当て物取付部４７の当て物５０は、特に取り外す必要はない。
【００５７】
この壁面作業用ロープの支持装置２０は、パラペット２の上端角部に安定板３０の角部を当てるように載せた後、従来の突梁と同様にして控えロープ８や吊りワイヤロープ１０を取付けることで作業用ゴンドラ９などを吊り下げるロープの支持ができる。
【００５８】
このような壁面作業用ロープの支持装置２０を突梁として用いる場合でも、アーム２１の突出量が安定板３０の取付位置によって調整でき、しかも安定板３０の安定板固定穴３５およびアーム２１の安定板取付穴２４のピッチが５０mmと他の取付穴のピッチより小さくしてあるので、アーム２１の安定板取付穴２４以外に取付けることができず、設計許容限界を越えて突き出して使用することを防止できる。
【００５９】
また、この壁面作業用ロープの支持装置２０では、アーム２１と安定板３０とサポート４０によって突梁型にでき、さらにスライドサポート６０を組み合わせることで自在フック型とすることができ、予めアームの突出量の異なる突梁や自在フックをそれぞれ用意すること無く、この壁面作業用ロープの支持装置一種類で対応することができる。
【００６０】
なお、上記実施の形態では、支持対象となるロープとして作業用ゴンドラを吊り下げる吊りワイヤロープを例に説明したが、ワインダを構造物側に取付ける作業用ケージを吊り下げるワイヤロープや養生ネットを吊り下げるワイヤロープなども支持することができるとともに、ワイヤロープに限らず他の素材のロープであっても良い。
【００６１】
【発明の効果】
以上、一実施の形態とともに具体的に説明したように、この発明の請求項１記載の壁面作業用ロープの支持装置によれば、構造物に当てる安定板の複数の取付穴を介してアームに形成した複数の安定板取付穴への取付位置を変えて取付けることで、アーム突出量を変えることができ、アームの前方下部にサポートを取付けるとともに、後方下部にスライドサポートを取付けることで、自在フックとして使用することができ、しかも安定板取付穴のピッチとサポート取付穴のピッチを変えることで、安定板取付穴以外には安定板を取付けることができず、設計時の許容限界を越えてアームの突出量を大きくすることができないように規制することができる。
【００６２】
これにより、１つの壁面作業用ロープの支持装置で構造物の形状によらずサポートの取付位置の変更などで固定できるとともに、アームの突出量も設計時の許容限界範囲内で簡単に変えることができる。
【００６３】
また、この発明の請求項２記載の壁面作業用ロープの支持装置によれば、前記アームの前方の複数のサポート取付穴を介してアーム下方に垂下される前記サポートに替え、当該アームの後方の複数のサポート取付穴を介してアーム上方に立設されて上端でロープを案内し得るサポートを設けるようにしたので、アームの後方上部にサポートを取付けた突梁として使用することができ、しかも設計時の許容限界を越えてアームの突出量を大きくすることを防止でき、安全に使用することができる。
【００６４】
さらに、この発明の請求項３記載の壁面作業用ロープの支持装置によれば、さらにサポートの構造物壁面に当たる部分に着脱可能な当て物を設けたので、壁面の強度に応じて接触面積を調整してできるだけ小さくすることで、塗装などができなくなる部分を最少限にすることができる。
【図面の簡単な説明】
【図１】この発明の壁面作業用ロープの支持装置の一実施の形態にかかり、（ａ）は自在フックとする場合の外観斜視図、（ｂ）は突梁とする場合の外観斜視図である。
【図２】この発明の壁面作業用ロープの支持装置の一実施の形態にかかり、自在フックとし突出量を最大とした場合の平面図および側面図である。
【図３】この発明の壁面作業用ロープの支持装置の一実施の形態にかかり、自在フックとし突出量を最小とした場合の平面図および側面図である。
【図４】この発明の壁面作業用ロープの支持装置の一実施の形態にかかり、突梁とし突出量を最大とした場合の平面図および側面図である。
【図５】この発明の壁面作業用ロープの支持装置の一実施の形態にかかり、突梁とし突出量を最小とした場合の平面図および側面図である。
【図６】従来の突梁および自在フックの側面図である。
【符号の説明】
１  構造物
２  パラペット
３  外壁面
８  控えロープ
９  作業用ゴンドラ
１０  吊りワイヤロープ
１１  台付けロープ
２０  壁面作業用ロープの支持装置
２１  アーム
２２  ロープ案内部
２４  安定板取付穴
２５  サポート取付穴
３０  安定板
３４  アーム挿通部
３５  安定板固定穴
４０  サポート
４１  アーム挿通部
４２  支柱
４３  ロープ案内部
４４  アーム取付部
４７  当て物取付部
４８  サポート固定穴
５０  当て物
６０  スライドサポート
６１  アーム挿通部
６５  ねじジャッキ
６８  固定穴
【図１】
0003863242.tif 000002
【図２】
0003863242.tif 000003
【図３】
0003863242.tif 000004
【図４】
0003863242.tif 000005
【図５】
0003863242.tif 000006
【図６】
0003863242.tif 000007